(57)【要約】【課題】防砂機能に優れた携帯端末を提供する。【解決手段】ストレート型携帯電話機１は、筐体２と、筐体２によって支持されるキートップ２１と、キートップ２１が押下されることによってオン又はオフするドームスイッチ２２と、を備える。キートップ２１と筐体２の間には環状の弾性体２４が設けられている。キートップ２１は弾性体２４を介して筐体２に支持されている。好ましくは、筐体２には、キートップ２１が収容されるキートップ開口部２３が形成されていて、弾性体２４は、キートップ２１の外周面２１ａと、キートップ開口部２３の内周面２３ａとの間に環状に設けられている。【選択図】図４
2012253427.tif 000002
【特許請求の範囲】
【請求項１】
筐体と、
前記筐体によって支持される操作部と、
前記操作部が押下されることによってオン又はオフするスイッチ部と、
を備え、
前記操作部と前記筐体の間には環状の弾性体が設けられており、
前記操作部は前記弾性体を介して前記筐体に支持されている、
携帯端末。
【請求項２】
請求項１に記載の携帯端末であって、
前記筐体には、前記操作部が収容される開口部が形成されており、
前記弾性体は、前記操作部の外周面と、前記開口部の内周面との間に環状に設けられている、
携帯端末。
【請求項３】
請求項２に記載の携帯端末であって、
前記弾性体は、エラストマーである、
携帯端末。
【請求項４】
請求項３に記載の携帯端末であって、
前記エラストマーは、シリコーンエラストマー又はウレタンエラストマーである、
携帯端末。
【請求項５】
請求項１〜４の何れかに記載の携帯端末によって構成された携帯電話機。
【発明の詳細な説明】
【技術分野】
【０００１】
本発明は携帯端末、及び携帯電話機に関する。
【背景技術】
【０００２】
この種の技術として、特許文献１は、下部筐体の左側部の操作面に開口された開口部に組み合わされたキートップと、このキートップが押し込まれることでオン又はオフするドームスイッチと、を有する入力装置を開示している。
【先行技術文献】
【特許文献】
【０００３】
【特許文献１】特開２００９−２１７８０４号公報
【発明の概要】
【発明が解決しようとする課題】
【０００４】
しかしながら、特許文献１の構成では、キートップの押し込み動作を実現するためにキートップと筐体との間には若干の隙間が残されている。従って、この隙間に砂などの異物が噛み込まれることがある。
【０００５】
本願発明の目的は、防砂機能に優れた携帯端末を提供することにある。
【０００６】
本願発明の観点によれば、筐体と、前記筐体によって支持される操作部と、前記操作部が押下されることによってオン又はオフするスイッチ部と、を備え、前記操作部と前記筐体の間には環状の弾性体が設けられており、前記操作部は前記弾性体を介して前記筐体に支持されている携帯端末が提供される。
【発明の効果】
【０００７】
本願発明によれば、前記操作部と前記筐体の間に砂等の異物が噛み込まれることを抑制することができる。
【図面の簡単な説明】
【０００８】
【図１】図１は、携帯電話機の斜視図である。
【図２】図２は、携帯電話機の他の斜視図である。
【図３】図３は、携帯電話機の分解斜視図である。
【図４】図４は、図１のVI-VI線断面図である。
【図５】図５は、スピーカ部の断面図である。
【発明を実施するための形態】
【０００９】
以下、図１〜５を参照しつつ、本願発明の好適な実施形態を説明する。
【００１０】
（ストレート型携帯電話機１）
図１及び図２に示すように、タッチパネル式のストレート型携帯電話機１（携帯端末、携帯電話機）は、筐体２と、タッチスクリーン３と、レシーバ部４と、マイク部５と、スピーカ部６と、コネクタ部７と、サイドボタン部８（入力装置）と、によって構成されている。タッチスクリーン３とレシーバ部４、スピーカ部６は、筐体２の前面２ａに設けられている。マイク部５は、筐体２の底面２ｂに設けられている。コネクタ部７とサイドボタン部８は、筐体２の側面２ｃに設けられている。
【００１１】
（筐体２）
図３に示すように、筐体２は、筐体上部９と筐体下部１０によって構成されている。筐体上部９には、透過部１１とレシーバ孔１２、スピーカ孔１３が形成されている。筐体下部１０には、マイク孔１４が形成されている。
【００１２】
（タッチスクリーン３）
タッチスクリーン３は、タッチパッドと表示パネルを組み合わせたものである。タッチスクリーン３は、筐体２の筐体上部９の透過部１１に対向するように配置されている。
【００１３】
（レシーバ部４）
レシーバ部４は、主として通話時に通話相手の音声を出力するための部分である。レシーバ部４は、図５に示すように、筐体２の前面２ａのレシーバ孔１２に対向する位置に形成されており、防水型のスピーカ１５と防塵メッシュ１６によって構成されている。防塵メッシュ１６による防砂構造により、砂等の異物が外部からスピーカ１５に到達することがない。
【００１４】
（マイク部５）
マイク部５は、主として通話時にユーザの音声を入力するための部分である。マイク部５は、図３に示すマイク孔１４に対向するように配置されており、図示しない防水型のマイクと防塵メッシュによって構成されている。また、本実施形態において図１及び図２に示すように、マイク孔１４には、防水キャップ１７が着脱可能に取り付けられている。
【００１５】
（スピーカ部６）
スピーカ部６は、主としてユーザに対して着信を通知する着信音を出力するためのものである。スピーカ部６は、図３に示すスピーカ孔１３に対向するように配置されており、防水型のスピーカ１８と防塵メッシュ１９によって構成されている。防塵メッシュ１９による防砂構造により、砂等の異物が外部からスピーカ１８に到達することがない。なお、防水型のスピーカ１８と防塵メッシュ１９に代えて、耐海水・耐圧構造の圧電スピーカを採用してもよい。
【００１６】
（コネクタ部７）
コネクタ部７は、外部機器を接続するためのものである。コネクタ部７は、コネクタ本体と、このコネクタ本体を保護する防水保護キャップ２０（図２参照）によって構成されている。
【００１７】
（サイドボタン部８）
サイドボタン部８は、本実施形態においてオルタナティブ型のスイッチである。サイドボタン部８は、図４に示すように、筐体２の側面２ｃによって支持されるキートップ２１（操作部）と、キートップ２１が押下されることでオン又はオフするドームスイッチ２２（スイッチ部）によって構成されている。筐体２の側面２ｃには、キートップ２１が収容される略円状のキートップ開口部２３（開口部）が形成されている。そして、キートップ２１の外周面２１ａと、筐体２の側面２ｃのキートップ開口部２３の内周面２３ａとの間には、環状の弾性体２４が設けられている。端的に言えば、環状の弾性体２４は、キートップ２１と筐体２との間に設けられている。キートップ２１は、この弾性体２４を介して筐体２の側面２ｃに支持されている。弾性体２４の存在により、サイドボタン部８を防砂・耐圧構造とすることができる。
【００１８】
弾性体２４は、本実施形態においてシリコーンエラストマーやウレタンエラストマーといったエラストマーによって形成されている。弾性体２４は、キートップ２１の外周面２１ａに対して接着している。同様に、弾性体２４は、キートップ開口部２３の内周面２３ａに対して接着している。従って、キートップ２１は、単に筐体２の側面２ｃに支持されているのみならず、筐体２の側面２ｃに対して弾性的に連結されていると言うことができる。筐体２の側面２ｃとキートップ２１、弾性体２４は一体成形により形成されている。
【００１９】
キートップ２１の裏面には、押下突起２５が形成されている。以上の構成で、キートップ２１を押下すると、キートップ２１は弾性体２４を剪断変形しつつ、押下突起２５を介してドームスイッチ２２を作動させる。キートップ２１の押下をやめると、弾性体２４の自己弾性復元力によって、図４に示すキートップ２１は元の位置へと戻る。
【００２０】
ストレート型携帯電話機１は、図３に示すように、更に、回路基板２６、バッテリー２７、無接点給電用の二次コイル２８、一対のアンテナ２９を備えている。
【００２１】
回路基板２６は、タッチスクリーン３やレシーバ部４、マイク部５等の各構成要素を制御するものである。
【００２２】
バッテリー２７は、回路基板２６等に電力を供給するものである。
【００２３】
二次コイル２８は、図示しない一次コイルからバッテリー２７に対して電磁誘導の原理により電力を無接点で供給するためのコイルである。二次コイル２８は、筐体２内に収容されている。このように無接点給電を採用することにより、ストレート型携帯電話機１を耐海水・防砂構造とすることができる。
【００２４】
一対のアンテナ２９は、周辺に点在する携帯電話用基地局との間で電波を送受信することにより音声やデータなどの情報通信を実現するためのものである。各アンテナ２９は、筐体２内に収容されている。この構成を採用することにより、ストレート型携帯電話機１は内蔵アンテナ方式となる。
【００２５】
以上に説明した各構成を採用することにより、ストレート型携帯電話機１は、海や河川などで利用できる耐海水・防砂携帯電話機となり、もって、ストレート型携帯電話機１の利用シーンを広げることが可能となる。
【符号の説明】
【００２６】
１  ストレート型携帯電話機（携帯端末、携帯電話機）
２  筐体
２１  キートップ（操作部）
２２  ドームスイッチ（スイッチ部）
２３  キートップ開口部（開口部）
２４  弾性体
【図１】
2012253427.tif 000003
【図２】
2012253427.tif 000004
【図３】
2012253427.tif 000005
【図４】
2012253427.tif 000006
【図５】
2012253427.tif 000007